(57)【要約】  【課題】  直流電位、交流電位のいずれが供給された場合であっても正電位と負電位を出力することが可能な整流回路等を提供する。  【解決手段】  この整流回路１は、第１入力電位Ｖac1が正電位且つ第２入力電位Ｖac2が負電位である場合又は第１入力電位Ｖac1が負電位且つ第２入力電位Ｖac2が正電位である場合に、正電位を第１出力電位ＯｕｔｐｕｔＶ1として出力するための第１電位出力回路２と、第１入力電位Ｖac1が正電位且つ第２入力電位Ｖac2が負電位である場合又は第１入力電位Ｖac1が負電位且つ第２入力電位Ｖac2が正電位である場合に、負電位を第２出力電位ＯｕｔｐｕｔＶ2として出力するための第２電位出力回路３とを具備する。【選択図】  図１
2005341679.tif 000002
【特許請求の範囲】
【請求項１】
第１及び第２の入力電位に基づいて第１及び第２の出力電位を出力するための回路であって、
前記第１の入力電位が正電位且つ前記第２の入力電位が負電位である場合又は前記第１の入力電位が負電位且つ前記第２の入力電位が正電位である場合に、正電位を前記第１の出力電位として出力するための第１の電位出力回路と、
前記第１の入力電位が正電位且つ前記第２の入力電位が負電位である場合又は前記第１の入力電位が負電位且つ前記第２の入力電位が正電位である場合に、負電位を前記第２の出力電位として出力するための第２の電位出力回路と、
を具備する整流回路。
【請求項２】
前記第１の電位出力回路が、
前記第１の入力電位が正電位且つ前記第２の入力電位が負電位である場合に、正電位を出力するための第１の回路と、
前記第１の入力電位が負電位且つ前記第２の入力電位が正電位である場合に、正電位を出力するための第２の回路と、
を具備し、
前記第２の電位出力回路が、
前記第１の入力電位が正電位且つ前記第２の入力電位が負電位である場合に、負電位を出力するための第３の回路と、
前記第１の入力電位が負電位且つ前記第２の入力電位が正電位である場合に、負電位を出力するための第４の回路と、
を具備する、請求項１記載の整流回路。
【請求項３】
前記第１の回路が、
前記第１の入力電位が正電位且つ前記第２の入力電位が負電位である場合にオン状態となり、前記第１の入力電位が負電位且つ前記第２の入力電位が正電位である場合にオフ状態となる第１のトランジスタと、
前記第１のトランジスタのソース又はドレインと前記第２の入力電位との間に接続された第１の抵抗と、
を具備しており、前記第１のトランジスタと前記第１の抵抗との接続点の電位を出力し、
前記第２の回路が、
前記第１の入力電位が正電位且つ前記第２の入力電位が負電位である場合にオフ状態となり、前記第１の入力電位が負電位且つ前記第２の入力電位が正電位である場合にオン状態となる第２のトランジスタと、
前記第２のトランジスタのソース又はドレインと前記第１の入力電位との間に接続された第２の抵抗と、
を具備しており、前記第２のトランジスタと前記第２の抵抗との接続点の電位を出力し、
前記第３の回路が、
前記第１の入力電位が正電位且つ前記第２の入力電位が負電位である場合にオン状態となり、前記第１の入力電位が負電位且つ前記第２の入力電位が正電位である場合にオフ状態となる第３のトランジスタと、
前記第３のトランジスタのソース又はドレインと前記第１の入力電位との間に接続された第３の抵抗と、
を具備しており、前記第３のトランジスタと前記第３の抵抗との接続点の電位を出力し、
前記第４の回路が、
前記第１の入力電位が正電位且つ前記第２の入力電位が負電位である場合にオフ状態となり、前記第１の入力電位が負電位且つ前記第２の入力電位が正電位である場合にオン状態となる第４のトランジスタと、
前記第４のトランジスタのソース又はドレインと前記第２の入力電位との間に接続された第４の抵抗と、
を具備しており、前記第４のトランジスタと前記第４の抵抗との接続点の電位を出力する、請求項２記載の整流回路。
【請求項４】
前記第１の電位出力回路が、前記第１の出力電位を平滑化及び／又は安定化するための第５の回路を更に具備し、
前記第２の電位出力回路が、前記第２の出力電位を平滑化及び／又は安定化するための第６の回路を更に具備する、請求項２又は３記載の整流回路。
【請求項５】
前記第５の回路が、前記第１の出力電位と所定の電位との間に接続された第１のコンデンサであり、
前記第６の回路が、前記第２の出力電位と所定の電位との間に接続された第２のコンデンサである、請求項４記載の整流回路。
【請求項６】
前記第１及び第２の入力電位が直流電位又は交流電位である、請求項１〜５のいずれか１項に記載の整流回路。
【請求項７】
請求項１〜６のいずれか１項に記載の整流回路を具備する半導体集積回路。
【発明の詳細な説明】
【技術分野】
【０００１】
本発明は、第１及び第２の入力電位に基づいて第１及び第２の出力電位を出力するための整流回路及び半導体集積回路に関する。
【背景技術】
【０００２】
従来より、出力電圧が両極性の範囲に設定可能な電源装置、正出力又は負出力を発生させる正負出力電源回路が知られている（例えば、特許文献１、２参照）。
特許文献１には、一次巻線の電圧を昇圧して二次巻線に出力するトランスと、上記一次巻線に接続された交流供給手段と、上記二次巻線に接続された整流回路と、コンデンサと定電圧素子が並列接続された蓄電回路で構成され、上記整流回路の出力に上記蓄電回路を直列に接続した一端と他端を出力とする電源装置であって、電源装置の出力を検出する電圧検出回路と、可変可能な信号源と、上記電圧検出回路の信号と上記信号源の信号を比較してその結果により上記交流供給手段からの供給電圧を決定する制御回路を設け、電源装置の出力を上記整流回路に発生する電圧に対し逆極性で、かつ上記定電圧素子の電圧よりも低い電圧に設定した電源装置が掲載されている。
しかしながら、この電源装置は、交流供給手段が出力する交流電圧を整流するものであり、直流電圧を整流するものものではない。
【０００３】
また、特許文献２には、直流電源と、該直流電源をオン・オフするスイッチング素子と、該直流電源をオン・オフして生成したパルスを受け入れ、正極性パルスと負極性パルスとを出力するスイッチングトランスと、スイッチングトランスから受け入れた正極性パルス又は負極性パルスを平滑して正出力又は負出力を発生させる平滑回路と、正極性パルスを阻止する第１の整流素子と、負極性パルスを阻止する第２の整流素子と、第１の整流素子と第２の整流素子のいずれかをスイッチングトランスへ直列に接続させるための極性選択スイッチとを有し、平滑回路に正出力を発生させる場合には、極性選択スイッチをスイッチングトランスに第２の整流素子が直列に接続されるように切り換え、平滑回路に負出力を発生させる場合には、極性選択スイッチをスイッチングトランスに第１の整流素子が直列に接続されるように切り換えることを特徴とする正負出力電源回路が掲載されている。
しかしながら、この正負出力電源回路は、正出力と負出力を切り換えて出力するものであり、正出力と負出力を同時に出力するものではない。
【０００４】
【特許文献１】特開平１１−３０８８６５号公報
【特許文献２】特開２０００−４１３７８号公報
【発明の開示】
【発明が解決しようとする課題】
【０００５】
そこで、上記の点に鑑み、本発明は、直流電位、交流電位のいずれが供給された場合であっても正電位と負電位を出力することが可能な整流回路を提供することを目的とする。また、本発明は、そのような整流回路を具備する半導体集積回路を提供することを更なる目的とする。
【課題を解決するための手段】
【０００６】
以上の課題を解決するため、本発明に係る整流回路は、第１及び第２の入力電位に基づいて第１及び第２の出力電位を出力するための回路であって、第１の入力電位が正電位且つ第２の入力電位が負電位である場合又は第１の入力電位が負電位且つ第２の入力電位が正電位である場合に、正電位を第１の出力電位として出力するための第１の電位出力回路と、第１の入力電位が正電位且つ第２の入力電位が負電位である場合又は第１の入力電位が負電位且つ第２の入力電位が正電位である場合に、負電位を第２の出力電位として出力するための第２の電位出力回路とを具備する。
【０００７】
この整流回路において、第１の電位出力回路が、第１の入力電位が正電位且つ第２の入力電位が負電位である場合に、正電位を出力するための第１の回路と、第１の入力電位が負電位且つ第２の入力電位が正電位である場合に、正電位を出力するための第２の回路とを具備し、第２の電位出力回路が、第１の入力電位が正電位且つ第２の入力電位が負電位である場合に、負電位を出力するための第３の回路と、第１の入力電位が負電位且つ第２の入力電位が正電位である場合に、負電位を出力するための第４の回路とを具備することとしても良い。
【０００８】
また、第１の回路が、第１の入力電位が正電位且つ第２の入力電位が負電位である場合にオン状態となり、第１の入力電位が負電位且つ第２の入力電位が正電位である場合にオフ状態となる第１のトランジスタと、第１のトランジスタのソース又はドレインと第２の入力電位との間に接続された第１の抵抗とを具備しており、前記第１のトランジスタと前記第１の抵抗との接続点の電位を出力し、第２の回路が、第１の入力電位が正電位且つ第２の入力電位が負電位である場合にオフ状態となり、第１の入力電位が負電位且つ第２の入力電位が正電位である場合にオン状態となる第２のトランジスタと、第２のトランジスタのソース又はドレインと第１の入力電位との間に接続された第２の抵抗とを具備しており、前記第２のトランジスタと前記第２の抵抗との接続点の電位を出力し、第３の回路が、第１の入力電位が正電位且つ第２の入力電位が負電位である場合にオン状態となり、第１の入力電位が負電位且つ第２の入力電位が正電位である場合にオフ状態となる第３のトランジスタと、第３のトランジスタのソース又はドレインと第１の入力電位との間に接続された第３の抵抗とを具備しており、前記第３のトランジスタと前記第３の抵抗との接続点の電位を出力し、第４の回路が、第１の入力電位が正電位且つ第２の入力電位が負電位である場合にオフ状態となり、第１の入力電位が負電位且つ第２の入力電位が正電位である場合にオン状態となる第４のトランジスタと、第４のトランジスタのソース又はドレインと第２の入力電位との間に接続された第４の抵抗とを具備しており、前記第４のトランジスタと前記第４の抵抗との接続点の電位を出力することとしても良い。
【０００９】
また、第１の電位出力回路が、第１の出力電位を平滑化及び／又は安定化するための第５の回路を更に具備し、第２の電位出力回路が、第２の出力電位を平滑化及び／又は安定化するための第６の回路を更に具備することとしても良い。さらに、第５の回路が、第１の出力電位と所定の電位との間に接続された第１のコンデンサであり、第６の回路が、第２の出力電位と所定の電位との間に接続された第２のコンデンサであることとしても良い。
また、第１及び第２の入力電位が直流電位又は交流電位であることとしても良い。
【００１０】
また、本発明に係る半導体集積回路は、上記した整流回路を具備する。
【発明を実施するための最良の形態】
【００１１】
以下、図面を参照しながら、本発明を実施するための最良の形態について説明する。なお、同一の構成要素には同一の参照符号を付して、説明を省略する。
図１は、本発明の第１の実施形態に係る整流回路の概要を示す図である。この整流回路１は、第１及び第２入力電位Ｖac1、Ｖac2に基づいて、正電位である第１出力電位ＯｕｔｐｕｔＶ1及び負電位である第２出力電位ＯｕｔｐｕｔＶ2を出力するための回路である。
図１に示すように、整流回路１は、第１及び第２入力電位Ｖac1、Ｖac2に基づいて第１出力電位ＯｕｔｐｕｔＶ1を出力するための第１電位出力回路２と、第１及び第２入力電位Ｖac1、Ｖac2に基づいて第２出力電位ＯｕｔｐｕｔＶ2を出力するための第２電位出力回路３とを具備する。
【００１２】
第１電位出力回路２は、第１入力電位Ｖac1が正電位且つ第２入力電位Ｖac2が負電位である場合に正電位を出力するための第１の回路４と、第１入力電位Ｖac1が負電位且つ第２入力電位Ｖac2が正電位である場合に正電位を出力するための第２の回路５とを具備する。
第２電位出力回路３は、第１入力電位Ｖac1が正電位且つ第２入力電位Ｖac2が負電位である場合に負電位を出力するための第３の回路６と、第１入力電位Ｖac1が負電位且つ第２入力電位Ｖac2が正電位である場合に負電位を出力するための第４の回路７とを具備する。
【００１３】
第１の回路４は、ゲート及びドレインが第１入力電位Ｖac1に接続された第１のＮチャネルトランジスタＱＮ１と、トランジスタＱＮ１のソースと第２入力電位Ｖac2との間に接続された第１の抵抗Ｒ１とを具備する。
第２の回路５は、ゲート及びソースが第２入力電位Ｖac2に接続された第２のＮチャネルトランジスタＱＮ２と、トランジスタＱＮ２のドレインと第１入力電位Ｖac1との間に接続された第２の抵抗Ｒ２とを具備する。
【００１４】
第３の回路６は、ゲートが第１入力電位Ｖac1に、ソースが第２入力電位Ｖac2にそれぞれ接続された第３のＮチャネルトランジスタＱＮ３と、トランジスタＱＮ３のドレインと第１入力電位Ｖac1との間に接続された第３の抵抗Ｒ３とを具備する。
第４の回路７は、ゲートが第２入力電位Ｖac2に、ドレインが第１入力電位Ｖac1にそれぞれ接続された第４のＮチャネルトランジスタＱＮ４と、トランジスタＱＮ４のソースと第２入力電位Ｖac2との間に接続された第４の抵抗Ｒ４とを具備する。
この整流回路１は、半導体集積回路として構成することが可能である。
【００１５】
次に、整流回路１の動作について説明する。
まず、第１入力電位Ｖac1が正電位且つ第２入力電位Ｖac2が負電位である場合について説明する。この場合、第１電位出力回路２の第１の回路４内のトランジスタＱＮ１は、オン状態（飽和領域または線形領域動作）となり、第２の回路５内のトランジスタＱＮ２は、オフ状態（遮断領域動作）となる。従って、正電位が第１出力電位ＯｕｔｐｕｔＶ1として出力されることとなる。ここでＯｕｔｐｕｔＶ1の電圧値は、第１入力電位Ｖac1に対して、ＱＮ１のＯＮ抵抗の電圧降下分だけ降下するが、その値はＲ１との兼ね合いで決まる。
一方、第２電位出力回路３の第３の回路６内のトランジスタＱＮ３は、オン状態（飽和領域または線形領域動作）となり、第４の回路７内のトランジスタＱＮ４は、オフ状態（遮断領域動作）となる。従って、負電位が第２出力電位ＯｕｔｐｕｔＶ2として出力されることとなる。ここでＯｕｔｐｕｔＶ2の電圧値は、第２入力電位Ｖac2に対して、ＱＮ３のＯＮ抵抗の電圧降下分だけ上昇するが、その値はＲ３との兼ね合いで決まる。
【００１６】
次に、第１入力電位Ｖac1が負電位且つ第２入力電位Ｖac2が正電位である場合について説明する。この場合、第１電位出力回路２の第１の回路４内のトランジスタＱＮ１は、オフ状態（遮断領域動作）となり、第２の回路５内のトランジスタＱＮ２は、オン状態（飽和領域または線形領域動作）となる。従って、正電位が第１出力電位ＯｕｔｐｕｔＶ1として出力される。ここでＯｕｔｐｕｔＶ1の電圧値は、第２入力電位Ｖac2に対して、ＱＮ２のＯＮ抵抗の電圧降下分だけ降下するが、その値はＲ２との兼ね合いで決まる。
一方、第２電位出力回路３の第３の回路６内のトランジスタＱＮ３は、オフ状態（遮断領域動作）となり、第４の回路７内のトランジスタＱＮ４は、オン状態（飽和領域または線形領域動作）となる。従って、負電位が第２出力電位ＯｕｔｐｕｔＶ2として出力される。ここでＯｕｔｐｕｔＶ2の電圧値は、第１入力電位Ｖac1に対して、ＱＮ４のＯＮ抵抗の電圧降下分だけ上昇するが、その値はＲ４との兼ね合いで決まる。
【００１７】
なお、第１及び第２出力電位ＯｕｔｐｕｔＶ1、ＯｕｔｐｕｔＶ2の値は、製造プロセスの変更等により、抵抗Ｒ１〜Ｒ４の抵抗値を変更し、又はトランジスタＱＮ１〜ＱＮ４の電気的特性を変更することで、調整することが可能である。
【００１８】
このように、整流回路１によれば、第１入力電位Ｖac1が正電位且つ第２入力電位Ｖac2が負電位である場合、第１入力電位Ｖac1が負電位且つ第２入力電位Ｖac2が正電位である場合のいずれの場合であっても、正電位の第１出力電位ＯｕｔｐｕｔＶ1を出力するとともに、負電位の第２出力電位ＯｕｔｐｕｔＶ2を出力することができる。
【００１９】
整流回路１は、例えば、自然エネルギーを利用した発電機の出力電位を整流するために用いると便宜である。自然エネルギーを利用した発電機は、現在基準値（例えば、室温）と入力値（例えば、物質の温度）との差に基づいて発電するため、常に一定極性の電圧を出力するとは限らない。例えば、熱電対を使用した発電機は、室温より高温な物質又は室温より低温な物質に接触されたときに発電するが、室温より高温な物質に接触されたときと室温より低温な物質に接触されたときとでは、出力電位の極性が反転する。しかしながら、このような発電機の出力に整流回路１を接続すれば、発電機の出力電位の極性がいずれの場合であっても、第１出力電位ＯｕｔｐｕｔＶ1を正電位として出力するとともに、第２出力電位ＯｕｔｐｕｔＶ2を負電位として出力することができる。
同様に、熱電対を用いた発電センサの出力電圧は、室温より高温な物質に接触されたときと室温より低温な物質に接触されたときとで極性が反転する。しかしながら、このような発電センサの出力に整流回路１を接続すれば、発電センサの出力電位の極性がいずれの場合であっても、第１出力電位ＯｕｔｐｕｔＶ1を正電位として出力するとともに、第２出力電位ＯｕｔｐｕｔＶ2を負電位として出力することができる。同様に、電磁誘導を利用した発電センサにも利用可能である。
【００２０】
また、乾電池等の１次電池を利用した電子機器においては、正しい極性となる方向に１次電池を挿入するための機構や保護回路を備える必要があったが、整流回路１を用いれば、このような機構や保護回路を不要とすることができる。
さらに、整流回路１によれば、交流電圧を発生する回路（例えば、発振回路、電波受信回路等）の出力を整流することができる。具体的には、ＲＦＩＤ（Radio Frequency Identifier）タグ、外部端子なしＩＣカード等の非接触電子機器の電源回路として利用可能である。
また、整流回路１によれば、正電位と負電位を出力することができるので、両極性の直流電源を必要とする回路（オペアンプ、パワーアンプ）等の電源回路として利用可能である。
【００２１】
なお、本実施形態においては、第１及び第２入力電位Ｖac1、Ｖac2が直流電位であることとしているが、これらの電位が交流電位であることとしても良い。
また、本実施形態においては、ＮチャネルトランジスタＱＮ１〜ＱＮ４を用いているが、これらの全部又は一部に代えてＰチャネルトランジスタを用いることとしても良いし、他のスイッチング素子を用いることとしても良い。
【００２２】
次に、本発明の第２の実施形態について説明する。図２は、本発明の第２の実施形態に係る整流回路の概要を示す図である。この整流回路８は、第１及び第２入力電位Ｖac3、Ｖac4に基づいて、正電位である第１出力電位ＯｕｔｐｕｔＶ3及び負電位である第２ＯｕｔｐｕｔＶ4を出力するための回路である。
図２に示すように、整流回路８は、第１及び第２入力電位Ｖac3、Ｖac4に基づいて、正電位を第１出力電位ＯｕｔｐｕｔＶ3として出力するための第１電位出力回路９と、第１及び第２入力電位Ｖac3、Ｖac4に基づいて、負電位を第２出力電位ＯｕｔｐｕｔＶ4として出力するための第２電位出力回路１０とを具備する。
【００２３】
第１電位出力回路９は、第１の回路４と、第２の回路５と、第１及び第２の回路４、５の出力と所定の電位（ここでは、接地電位ＶSS）との間に接続され、第１出力電位ＯｕｔｐｕｔＶ3を平滑化及び／又は安定化するための第５の回路としてのコンデンサＣ１とを具備する。
第２電位出力回路１０は、第３の回路６と、第４の回路７と、第３及び第４の回路６、７の出力と所定の電位（ここでは、接地電位ＶSS）との間に接続され、第２出力電位ＯｕｔｐｕｔＶ4を平滑化及び／又は安定化するための第６の回路としてのコンデンサＣ２とを具備する。
この整流回路８は、半導体集積回路として構成することが可能である。
【００２４】
図３は、第１及び第２入力電位Ｖac3、Ｖac4として交流電位を入力した場合における第１及び第２出力電位ＯｕｔｐｕｔＶ3、ＯｕｔｐｕｔＶ4の波形を示す図である。図３に示すように、第１及び第２入力電位Ｖac3、Ｖac4として交流電位が入力されると、所定時間後（具体的には、コンデンサＣ１、Ｃ２に電荷がチャージされた後）、第１出力電位ＯｕｔｐｕｔＶ3は、略一定の正電位となり、第２出力電位ＯｕｔｐｕｔＶ4は、略一定の負電位となる。例えば、ＯｕｔｐｕｔＶ3の電圧値は、コンデンサＣ１が仮にない状態では、第１及び第２入力電位Ｖac3、Ｖac4の電位差の時間的変化があるので、トランジスタＱＮ１、ＱＮ２は交互にオンオフを繰り返す。またそれぞれのＯＮ抵抗も逐次変化するので、Ｒ１，Ｒ２との兼ね合いで電圧値は変化するが、極性は正電位のみが現われる。一方、ＯｕｔｐｕｔＶ4の電圧値は、コンデンサＣ２が仮にない状態では、第１及び第２入力電位Ｖac3、Ｖac4の電位差の時間的変化があるので、トランジスタＱＮ３、ＱＮ４は交互にオンオフを繰り返す。またそれぞれのＯＮ抵抗も逐次変化するので、Ｒ３、Ｒ４との兼ね合いで電圧値は変化するが、極性は負電位のみ現われる。このように、極性は同じで電圧値が変化する出力をコンデンサで平滑化することで、安定した直流電位を得る。
なお、第１及び第２出力電位ＯｕｔｐｕｔＶ3、ＯｕｔｐｕｔＶ4の値は、製造プロセスの変更等により、抵抗Ｒ１〜Ｒ４の抵抗値を変更し、コンデンサＣ１、Ｃ２の静電容量を変更し、又は、トランジスタＱＮ１〜ＱＮ４の電気的特性を変更することで、調整することが可能である。
【００２５】
図４は、従来の整流回路の例を示す図である。図４に示すように、この整流回路２０は、ダイオードＤ１と、コンデンサＣ３とを具備する。図５は、整流回路２０に交流電圧を印加した場合における出力電圧を示す図である。例えば、コンデンサＣ３の静電容量を１０μＦ程度とすると、第１入力電位と第２入力電位との間の電位差（Ｖac5−Ｖac6間電圧）がpeek-to-peekで１０Ｖ程度の場合、第１出力電位ＯｕｔｐｕｔＶ3と第２出力電位ＯｕｔｐｕｔＶ4との間の電位差（ＯｕｔｐｕｔＶ3−ＯｕｔｐｕｔＶ4電圧）は、＋４．５Ｖ程度となる。
図５に示すように、整流回路２０の出力電圧は、大きな脈動を有する。一方、図３に示すように、整流回路８の第１及び第２出力電位ＯｕｔｐｕｔＶ3、ＯｕｔｐｕｔＶ4の脈動は、非常に小さい。
【００２６】
このように、整流回路８によれば、第１及び第２入力電位Ｖac3、Ｖac4として交流電位が入力された場合に、脈動の小さい第１出力電位ＯｕｔｐｕｔＶ3（正電位）及び第２出力電位ＯｕｔｐｕｔＶ4（負電位）を得ることができる。
【００２７】
なお、本実施形態においては、第１及び第２入力電位Ｖac3、Ｖac4が交流電位であることとしているが、これらの電位が直流電位であることとしても良い。
また、本実施形態においては、ＮチャネルトランジスタＱＮ１〜ＱＮ４を用いているが、これらの全部又は一部に代えてＰチャネルトランジスタを用いることとしても良いし、他のスイッチング素子を用いることとしても良い。
【産業上の利用可能性】
【００２８】
本発明は、整流回路において利用可能である。また、本発明は、そのような整流回路を具備する半導体集積回路において利用可能である。これらの回路は、自然エネルギーを利用した発電機、熱電対を用いた発電センサ、電磁誘導を利用した発電センサ、乾電池等の１次電池を使用した電子機器、ＲＦＩＤタグ、外部端子なしＩＣカード等の非接触電子機器、両極性の直流電源を必要とする回路（オペアンプ、パワーアンプ）等に利用可能である。
【図面の簡単な説明】
【００２９】
【図１】本発明の第１の実施形態に係る整流回路を示す図。
【図２】本発明の第２の実施形態に係る整流回路を示す図。
【図３】図２の整流回路８の入力及び出力電位の波形を示す図。
【図４】従来の整流回路を示す図。
【図５】図４の整流回路２０の入力及び出力電圧の波形を示す図。
【符号の説明】
【００３０】
１、８、２０  整流回路、２、９  第１電位出力回路、３、１０  第２電位出力回路、４〜７  第１〜第４の回路、ＱＮ１〜ＱＮ４  Ｎチャネルトランジスタ、Ｒ１〜Ｒ４  抵抗、Ｃ１〜Ｃ３  コンデンサ、Ｄ１  ダイオード
【図１】
2005341679.tif 000003
【図２】
2005341679.tif 000004
【図３】
2005341679.tif 000005
【図４】
2005341679.tif 000006
【図５】
2005341679.tif 000007